(57)【要約】【課題】リモートコントローラ自身の設定を表示するディスプレイがリモートコントローラに設けられていなくても、利用者が設定の成功の可否を実際に操作して正しく設定がされたか否かを確認出来るようにする。【解決手段】コントロールするＴＶモニターを設定するには電源キー１０１と数字キー１０５とを同時に押す。この二重押しされたＴＶモニターをコントロールの対象としてメモリ１０７にメモリする。リモートコントローラは、上記二重押しについても二重押しに対応するコードを、送信部１０６を介してＤＶＤ録再機器へ出力する。ＤＶＤ録再機器のシステムコントローラ１５２は、受信部１５１で受信した二重押しに対応するコードから、いずれのキーが押されたかを示す画像、または、いずれの機種に設定されたか判断可能な機種名等からなる画像を作成し、出力端子１５７を介してＴＶモニター１５８へ出力する。【選択図】　　　図１
2004007115.tif 000002
【特許請求の範囲】
【請求項１】
第１の機器を遠隔制御するために第１の制御信号を出力する第１の出力手段と、
ユーザの指示により前記第１とは異なる第２の機器を遠隔制御するために第２の制御信号を出力する設定とする設定手段と、
前記設定手段による設定後、前記第２の機器を遠隔制御するために第２の制御信号を出力する第２の出力手段と、
前記設定手段により前記設定された設定情報を、ユーザに案内するために前記第１または前記第２の機器へ出力する設定情報出力手段とを備えたことを特徴とするリモートコントローラ。
【請求項２】
第１の機器を遠隔制御するために第１の制御信号を出力する第１の出力手段と、ユーザの指示により前記第１とは異なる第２の機器を遠隔制御するために第２の制御信号を出力する設定とする設定手段と、前記設定手段による設定後、前記第２の機器を遠隔制御するために第２の制御信号を出力する第２の出力手段と、前記設定手段により前記設定された設定情報を、ユーザに案内するために前記第１または前記第２の機器へ出力する設定情報出力手段とを備えたことを特徴とするリモートコントローラが出力した前記設定情報が入力される入力端と、
前記入力端から入力された前記設定情報に応じた映像を生成する映像生成手段と、
この映像生成手段から生成された映像信号を、外部の映像表示手段へ出力する映像出力手段と、
前記入力端から入力された制御信号に応じた動作を実行する実行手段とを備えたことを特徴とする映像機器。
【請求項３】
テレビジョン信号を受信するチューナを備え、
前記映像生成手段は、前記入力端から入力された前記設定情報に応じた映像信号と前記チューナからの映像信号とを多重する多重回路を備えたことを特徴とする請求項２に記載の映像機器。
【請求項４】
複数の遠隔制御モードを有する機器へ、ユーザの指示に応じて前記複数の遠隔制御モードのいずれのモードを用いるかを示すモード信号を出力するモード信号出力手段と、
前記モード信号に応じて前記機器を制御する制御信号を前記機器へ出力する制御信号出力手段とを備えたことを特徴とするリモートコントローラ。
【請求項５】
複数の遠隔制御モードを有する機器へ、ユーザの指示に応じて前記複数の遠隔制御モードのいずれのモードを用いるかを示すモード信号を出力するモード信号出力手段と、前記モード信号に応じて前記機器を制御する制御信号を前記機器へ出力する制御信号出力手段とを備えたリモートコントローラから前記モード信号および制御信号が入力される入力端と、
前記入力端から入力された前記モード信号をメモリするメモリと、
前記入力端から入力された前記モード信号に応じた映像を生成する映像生成手段と、
この映像生成手段から生成された映像信号を、外部の映像表示手段へ出力する映像出力手段と、
前記入力端から入力された制御信号に応じた動作を実行する実行手段とを備えたことを特徴とする映像機器。
【発明の詳細な説明】
【０００１】
【発明の属する技術分野】
この発明は、リモートコントローラを備えたリモートコントローラ付き映像機器に関し、特に複数機種の遠隔制御コードを記憶し、機種を選定することにより任意の機種を遠隔制御するリモートコントローラ付き映像機器に関する。
【０００２】
【従来の技術】
映像機器を遠隔制御するためのリモートコントローラを備えた映像機器として、ＴＶ，ＶＴＲ（ビデオ・テープ・レコーダ），ＤＶＤ（デジタル・ビデオ・ディスク）等の機器が存在している。これらの多くには通常、遠隔制御するためのリモートコントローラが付属されている。このリモートコントロールラは、通常対応機種は１種類である。しかし最近は他のリモートコントローラが送信する遠隔制御コードを予めメモリしておき、リモートコントローラの所定のボタンを押すことにより他のリモートコントローラが送信する遠隔制御コードを送信できるリモートコントローラも実用化されており、例えば特開平６−２９２２７０号公報に開示されている。
【０００３】
他のリモートコントローラが送信する遠隔制御コードを送信するときの設定では、リモートコントローラ内部にて、設定切替キー、キースイッチの２重押しなどにより設定が行われる。
【０００４】
しかしながら、このリモートコントローラ自身の設定はＬＣＤ（液晶ディスプレイ）、ＬＥＤ（Ｌｉｇｈｔ　Ｅｍｉｔｔｉｎｇ　Ｄｉｏｄｅ）等の利用者向けの表示機能がない場合、利用者は正しく設定できたか否かを確認することが出来ず、実際にリモートコントローラの電源スイッチ等を操作したときの映像機器の動作状況から正しく設定がされたか否かを判断していた。
【０００５】
【発明が解決しようとする課題】
このように従来のリモートコントローラ付き映像機器においては、リモートコントロールラの設定は、リモートコントローラにリモートコントローラ自身の設定を表示するディスプレイが設けられていない場合、利用者は正しく設定されたか否かを確認することが出来ず、実際にリモートコントローラの電源スイッチ等を操作したときの映像機器の動作状況をみないと、正しく設定がされたか否かを確認することが出来ないという問題があった。
【０００６】
この発明は、リモートコントローラにリモートコントローラ自身の設定を表示するディスプレイが設けられていない場合でも、利用者に正しく設定がされたか否かを確認することが出来るリモートコントローラおよび映像機器を提供することを目的とする。
【０００７】
【課題を解決するための手段】
上記の目的を達成するために、この発明においては、第１の機器を遠隔制御するために第１の制御信号を出力する第１の出力手段と、ユーザの指示により前記第１とは異なる第２の機器を遠隔制御するために第２の制御信号を出力する設定とする設定手段と、前記設定手段による設定後、前記第２の機器を遠隔制御するために第２の制御信号を出力する第２の出力手段と、前記設定手段により前記設定された設定情報を、ユーザに案内するために前記第１または前記第２の機器へ出力する設定情報出力手段とを備えたことを特徴とするリモートコントローラを提供する。
【０００８】
また、上記の目的を達成するために、この発明においては、第１の機器を遠隔制御するために第１の制御信号を出力する第１の出力手段と、ユーザの指示により前記第１とは異なる第２の機器を遠隔制御するために第２の制御信号を出力する設定とする設定手段と、前記設定手段による設定後、前記第２の機器を遠隔制御するために第２の制御信号を出力する第２の出力手段と、前記設定手段により前記設定された設定情報を、ユーザに案内するために前記第１または前記第２の機器へ出力する設定情報出力手段とを備えたことを特徴とするリモートコントローラが出力した前記設定情報が入力される入力端と、前記入力端から入力された前記設定情報に応じた映像を生成する映像生成手段と、この映像生成手段から生成された映像信号を、外部の映像表示手段へ出力する映像出力手段と、前記入力端から入力された制御信号に応じた動作を実行する実行手段とを備えたことを特徴とする映像機器を提供する。
【０００９】
【発明の実施の形態】
以下、本発明の実施の形態について図１を用いて詳細に説明する。この実施の形態ではＤＶＤ録再機器を例として説明する。
図１は、ＤＶＤ録再機器に付属される光学式リモートコントローラである。各種キーを押すことで、ＤＶＤ録再機器へ、そのキーに適応したコードを発光して送信する。光学式リモートコントローラからＤＶＤ録再機器への送信内容は、リモートコントローラのモードを示すカスタムコード部となる８ビットのデータと、このデータを反転した８ビットのデータを送信し、引続き、送信したい情報の８ビットのデータと、このデータを反転した８ビットのデータを送信により構成されている。
【００１０】
まずリモートコントローラの更正について詳細に説明する。
図１の１０１はＴＶモニター用の電源キーで、ＤＶＤ録再機器に接続されたＴＶモニターの電源を操作するのに用いられる。
１０２はＴＶモニター用の入力切替キーで、ＤＶＤ録再機器に接続されたＴＶモニターの入力を、放送、ビデオ、やＤＶＤ録再機器に切替操作するのに用いられる。
１０３はＴＶモニター用のチャンネル切り替えキーで、ＤＶＤ録再機器に接続されたＴＶモニターのチャンネル切替操作するのに用いられる。
１０４はＴＶモニター用の音量調節キーで、ＤＶＤ録再機器に接続されたＴＶモニターの音量調節操作するのに用いられる。
上記したＴＶモニター用の電源キー１０１から音量調節キー１０４は、リモートコントローラの設定により、発光する信号が異なり、いろいろなＴＶモニターの種類／メーカーに対応可能な構成である。
【００１１】
１０５は数字キーで、直接のチャンネル選択、番組予約コードの入力などに用いる。
１０６は遠隔制御コードをＤＶＤ録再機器やモニターへ出力するための送信部である。
１０７はリモートコントローラの設定に関する情報をメモリするメモリである。
１０８は当該リモートコントローラの全体の制御を行うシステムコントローラである。
次に、ＤＶＤ録再機器の構成について詳細に説明する。
ＤＶＤ録再機器本体は、リモートコントローラの送信部１０６からの各送信信号を受信する受信部１５１と、当該ＤＶＤ録再機器本体の全体の制御を行うシステムコントローラ１５２と、リモートコントローラの設定に関する情報をメモリするメモリ１５３と、上記システムコントローラ１５２により制御され各種情報を表示する液晶表示部１５４と、図示しない放送信号受信部により受信されたテレビジョン信号を記録する記録系１５５と、上記受信部１５１により受信されたリモートコントローラの設定時のキー入力に関するキャラクタを発生するキャラクタジェネレータ１５６と、このキャラクタジェネレータ１５６により発生された信号を出力するための出力端子１５７を備えている。なお、ＤＶＤ録再機器本体の出力端子１５７には、表示手段である例えばＴＶモニター（ＣＲＴ（陰極線管））１５８が接続されている。
【００１２】
なお、キャラクタジェネレータ１５６により発生された信号はこれのみでＴＶモニターへ表示するのではなく、テレビジョン放送を受信した画像と多重する回路を設け、多重して表示するようにしても良い。こうすることにより画面を有効活用することが出来、更に画面の無駄使いを防ぐことが出来る。
【００１３】
次に、このように構成されたＤＶＤ録再機器およびリモートコントローラの動作について説明する。
本リモートコントローラの設定項目としてコントロールするＴＶモニターを設定する機能を有している。このコントロールするＴＶモニターを設定するには、ＴＶモニターの種類／メーカーに対応した数字キーと所定キーとの両方を同時に押す、いわゆる二重押しにてコントロールするＴＶモニターを設定することできるようになっている。
【００１４】
この実施の形態ではＴＶモニター用の電源キー１０１が上記した所定キーとなっている。
上記コントロールするＴＶモニターを設定するにはＴＶモニター用の電源キー１０１と、コントロールするＴＶモニターに応じた数字キー１０５とを二重押しする。するとリモートコントローラのシステムコントローラ１０８は、この二重押しされたＴＶモニターをコントロールの対象としてメモリ１０７にメモリし、今後ＴＶモニターをコントロールするときにはこのメモリ１０７にメモリしたＴＶモニターをコントロールの対象としてコントロール制御信号をＤＶＤ録再機器へ出力する。
【００１５】
更に、本実施の形態のリモートコントローラは、上記二重押しについても二重押しに対応するコードを持っており、２重押しされるとこの二重押しに対応して設定されたコードを、送信部１０６を介してＤＶＤ録再機器へ出力する。
【００１６】
ＤＶＤ録再機器のシステムコントローラ１５２は、受信部１５１で受信した二重押しに対応するコードから、いずれのキーが押されたかを示す画像、または、いずれの機種に設定されたか判断可能な機種名等からなる画像をユーザに案内するためのキャラクタをキャラクタジェネレータ１５６により発生して映像信号を作成し、出力端子１５７を介してＴＶモニター１５８へ出力する。
【００１７】
これによりユーザはいずれのキーが押されたのか、或いはいずれの機種のＴＶモニターを操作するようリモートコントローラが設定されたかを知ることが出来る。
例えば、リモートコントローラのＴＶモニター用の電源キー１０１と数字キー１０５の中の「０」を二重押しすると、システムコントローラ１０８はリモートコントローラのシステムコントローラ１０８は、この二重押しされたＴＶモニターをコントロールの対象としてメモリ１０７にメモリすると共に、この二重押しに対応するコードを、送信部１０６を介してＤＶＤ録再機器へ出力する。
【００１８】
ＤＶＤ録再機器のシステムコントローラ１５２は、受信部１５１で受信した二重押しに対応するコードから、リモートコントローラのＴＶモニター用の電源キー１０１と数字キー１０５の中の「０」が二重押しされたことを検出し、図２（ａ）に示す通りの画像を表示するための映像信号をキャラクタジェネレータ１５６により発生して出力端子１５７を介してＴＶモニター１５８へ出力する。
【００１９】
また、ＤＶＤ録再機器はメモリ１５３内に、「電源キー」＋「０」は“機種：ＡＡＡ”，「電源キー」＋「１」は“機種：ＢＢＢ”、・・・といったように、二重押しされたキーと機種／メーカー名といった表を工場出荷時に保持しており、これを参照して図２（ｂ）に示す通り機種名／メーカー名を表示するようにしても良い。
【００２０】
このようにして設定された後、電源キー１０１から音量調節キー１０４を押すと１台目のＴＶモニターは反応するが、２台目の異なるＴＶモニターは反応しない。また、ＴＶモニター用の電源キー１０１と数字キー１０５の中の「１」キーを二重押しすることで「電源キー」＋「１」または“機種：ＢＢＢ”がＴＶモニター上に表示され、ＴＶモニター用の電源キー１０１から音量調節キー１０４を押すと１台目のＴＶモニターは反応せず、２台目の異なるＴＶモニターは反応するようになる。
【００２１】
また、上記実施の形態では映像信号としてＴＶモニターへ出力したが、これに代え、液晶表示部１５４へ図２（ａ），（ｂ）に示した画像を表示するようにしても良い。
【００２２】
一般に存在するＴＶモニターは何百種類とあり、更に多くの種類のＴＶモニターに対応させるためには、所定キーと数字キーとの２重押しを３から４回繰り返す操作が必要である。この２重押しを３から４回繰り返す操作中は、正しく入力が行われているのか本リモートコントローラ本体では設定動作を表示するディスプレイを有していないため確認することが出来ない。
【００２３】
本実施の形態のリモートコントローラでのＴＶモニター選択機能の設定は、所定キー（ＴＶモニター用の電源キー１０１）と数字キー１０５のいずれかのキーの２重押しを４回繰り返す操作にて設定が完了するものとして説明を続ける。例えば、ＴＶモニター番号“１２３４”を設定する場合、所定キーであるＴＶモニター用の電源キー１０１と数字キー１０５の中の「１」を二重押しし、次に、電源キー１０１と数字キー１０５の中の「２」を二重押しし、次に電源キー１０１と数字キー１０５の中の「３」を二重押しし、最後に電源キー１０１と数字キー１０５の中の「４」を二重押しすることで完了する。
【００２４】
また、編集のため複数台設置された場合を想定し、同一機種であっても複数の異なるモードを持たせ、同一のＤＶＤ録再機器等を使用した場合に対応できるようになっている。この場合、リモートコントローラとＤＶＤ録再機器のそれぞれでいずれのモードで使うかを設定する。例えば、あるＤＶＤ録再機器について、ＤＶＤ録再機器番号（ａモード）が“１１１１”，ＤＶＤ録再機器番号（ｂモード）が“１１１２”となっており、ａモードおよびｂモードはそれぞれ独立した１つの操作体系となっている。このＴＶモニター選択の設定では、所定キーと数字キーの２重押しを４回繰り返して設定操作が完了してからはじめて、入力された４桁の数字を連続送信することで、ＤＶＤ録再機器では、リモートコントローラのＴＶモニター選択機能の設定状態を把握することが出来、ＴＶモニターへ表示させるデータとして扱う。
【００２５】
これにより例え同一機種であっても各種キーを押すことで反応するのはモードが同じである機器だけとすることができ、編集などで複数台が同じ動作をしないようなリモートコントロールを実現することができる。もちろんこの場合には、リモートコントローラ以外に、ＤＶＤ録再機器の方についてもどのモードで動作させるのかを改めて登録設定しておく必要がある。
【００２６】
このときもまた同様にしてリモートコントローラ自身の設定の経過がＴＶモニター上に表示される。
本発明を用いたリモートコントローラでは、ＤＶＤ録再機器にて設定項目を表示させるため、設定項目をＤＶＤ録再機器へ送信する。
リモートコントローラのモードの設定では、所定キーと数字キーとの二重押しにて発光モードが設定された時に、その設定されたリモートコントローラのモードにて、設定されたモードの番号に相当するデータを送信する。
【００２７】
次に、リモートコントローラのモードを変えたときの動作について説明する。
本リモートコントローラのモードを「ＤＲ１」モードに設定する場合について説明する。
リモートコントローラの発光モードを「ＤＲ１」モードに対する情報をＦ０（Ｈｅｘ）とすると、リモートコントローラのモードを区別するカスタムコード部の８ビットのデータと、このデータを反転した８ビットのデータをリモートコントローラがＤＶＤ録再機器へ送信し、引続き、送信したい情報のＦ０（Ｈｅｘ）からなる８ビットのデータと、このデータを反転した０Ｆ（Ｈｅｘ）の８ビットのデータをＤＶＤ録再機器へ送信する。
【００２８】
この信号を受けたＤＶＤ録再機器では、リモートコントローラのモードの設定が対応していないくても、受信した８ビット情報から、送信してきたリモートコントローラのリモートコントローラの発光モードを、メモリ１５３内部のテーブルデータより「ＤＲ１」と割り出し、表示させるデータとして扱う。
【００２９】
受信したＤＶＤ機器にては、内蔵されている液晶表示部１５４に「ＤＲ１」と表示させ、更に、接続されたＴＶモニターの画面上に、リモートコントローラのモードの「ＤＲ１」をＯＳＤとして表示する。
【００３０】
これにより、ユーザはリモートコントローラのモード設定について成功したか否かを確認することが出来る。
他の実施の形態
上記実施の形態では設定直後に送信していたが、これに代え任意のタイミングでリモートコントローラの設定されているモードを送信が可能な構成になっている。
本実施の形態では、どの機種／メーカーのＴＶモニターを設定したかの設定項目を送信するために、送信キーとして送信用の所定キー３０１と、数字キー１０５の「０」を同時に押すことで、リモートコントローラの設定内容がＤＶＤ録再機器へ送信される。例えば、ＴＶモニター番号１２３４をリモートコントローラに設定されていたとき、リモートコントローラの所定キー３０１と、数字キー１０５の「０」が同時に押されると、リモートコントローラのモードを区別するカスタムコード部の８ビットのデータと、その反転した８ビットのデータをＤＶＤ録再機器へ送信し、引続き、送信したい情報の１からなる８ビットのデータと、同様に２、３、４からなる８ビットデータを、４つ連続して送信する。
【００３１】
この信号をリモートコントローラから受けたＤＶＤ録再機器では、リモートコントローラのモードの設定が対応していないくても、受信した４つの８ビット情報から、送信してきたリモートコントローラのＴＶモニター選択機能の設定状態が把握出来、表示させるデータとして扱う。表示の方法は、リモートコントローラのモードと同様に、受信したＤＶＤ機器にては、内蔵されている液晶表示部１５４に「１２３４」と表示させ、また、接続されたＴＶモニターの画面上に、ＴＶモニター選択機能を表すリモートコントローラのモードの「１２３４」をＯＳＤとして表示する。
【００３２】
これにより、ユーザは使用しているリモートコントローラの１０１から１０４のＴＶモニター用のキーが、どの機種／メーカーの設定になっているかを、任意のタイミングで確認することが出来る。
【００３３】
この所定キー３０１は、通常時はＤＶＤ機器を直接制御するキーで、送信専用ではなく兼用となっている。
以上の説明のように、本発明では、リモートコントローラから該設定項目情報を映像機器本体へ送信し、映像機器側にて表示する構成にすることで、ユーザにリモートコントローラの設定状態を案内することが出来る。
【００３４】
【発明の効果】
以上説明したようにこの発明によれば、リモートコントローラから該設定項目情報を映像機器本体へ送信し、映像機器側にて表示するので、リモートコントローラにディスプレイを備えていなくてもリモートコントローラの設定を知ることができる。
【図面の簡単な説明】
【図１】本発明のリモートコントローラ付き映像機器の構成を説明するためのブロック図。
【図２】案内画面を説明するための図。
【図３】本発明の他の実施の形態のリモートコントローラ付き映像機器の構成を説明するためのブロック図。
【符号の説明】
１０１…ＴＶモニター用の電源キー、１０２…ＴＶモニター用の入力切替キー、１０３…ＴＶモニター用のチャンネル切り替えキー、１０４…ＴＶモニター用の音量調節キー、１０５…数字キー、１０６…送信部、１０７，１５３…メモリ、１０８，１５２…システムコントローラ、１５１…受信部、１５４…液晶表示部、１５５…記録系、１５６…キャラクタジェネレータ、１５７…出力端子、１５８…ＴＶモニター。
【図１】
2004007115.tif 000003
【図２】
2004007115.tif 000004
【図３】
2004007115.tif 000005